【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
ストレージ装置と、アプリケーションが動作し、前記ストレージ装置の記憶領域からそれぞれ一以上の論理ボリュームを含む複数のボリュームグループを作成し、少なくとも一の前記論理ボリュームが前記アプリケーションに割り当てられているホスト計算機と、に相互に通信可能に接続し、
前記アプリケーションが使用している前記論理ボリュームが属するボリュームグループをバックアップ元とするペアを構成する場合に、前記ボリュームグループに、他のアプリケーションが使用している他の論理ボリュームがあるか否かを判定するボリュームグループ重複使用判定部と、
前記アプリケーションが使用している前記論理ボリュームが属するボリュームグループをバックアップ元とするペアを構成する場合に、前記アプリケーションについて設定されたバックアップポリシー情報と同一のバックアップポリシー情報が設定されている他のボリュームグループがあるか否かを判定するバックアップポリシー判定部とを備え、
前記ボリュームグループ重複使用判定部が前記ボリュームグループに前記他の論理ボリュームがないと判定した場合に、当該ボリュームグループをバックアップ元としてペアを構成し、
前記ボリュームグループ重複使用判定部が、前記ボリュームグループに前記他のアプリケーションが使用している他の論理ボリュームがあると判定し、かつ前記バックアップポリシー判定部が同一のバックアップポリシー情報を有する他のアプリケーションが使用している論理ボリュームが属する他のボリュームグループがあると判定した場合に、
前記アプリケーションのデータを、当該他のボリュームグループに移動させ、当該他のボリュームグループをバックアップ元としてペアを構成する
ことを特徴とする管理計算機。
【請求項２】
請求項１に記載の管理計算機であって、
前記ボリュームグループ重複使用判定部が、前記ボリュームグループに前記他の論理ボリュームがないと判定した場合に、当該アプリケーションが使用している論理ボリュームが属するボリュームグループをバックアップ元としてペアを構成可能である旨を当該アプリケーションの管理者に通知し、
前記ボリュームグループ重複使用判定部が、前記ボリュームグループに前記他の論理ボリュームがあると判定した場合に、当該ボリュームグループをバックアップ元としてペアを構成できない旨を当該アプリケーションの管理者に通知するとともに、当該アプリケーションのデータを前記他のボリュームグループに移動させる旨を当該管理者に通知することを特徴とする管理計算機。
【請求項３】
請求項２に記載の管理計算機であって、
前記ボリュームグループ重複使用判定部が、前記ボリュームグループに前記他の論理ボリュームがあると判定した場合に、
当該アプリケーションについて設定されたバックアップポリシー情報と同一のバックアップポリシー情報が設定されている他のアプリケーションが使用している論理ボリュームが属する既存のボリュームグループがあるか否かを検索し、
あると判定された場合に、移動先となるボリュームグループが存在する旨をアプリケーション管理者に通知することを特徴とする管理計算機。
【請求項４】
請求項１乃至請求項３のいずれか１つに記載の管理計算機であって、
バックアップ元のボリュームグループに格納されているアプリケーションのデータを、当該アプリケーションが動作しているホスト計算機によって、ファイル単位で前記他のボリュームグループへ移動させることを特徴とする管理計算機。
【請求項５】
請求項１乃至請求項４のいずれか１つに記載の管理計算機であって、
前記バックアップポリシー情報は、ローカルコピー又はリモートコピーの種別、バックアップ作成世代数、及びバックアップスケジュールから選択した項目を含んでいることを特徴とする管理計算機。
【請求項６】
請求項１乃至請求項５のいずれか１つに記載の管理計算機であって、
前記バックアップのペアが構成されているアプリケーションのバックアップデータをバックアップ元であるボリュームグループにある論理ボリュームに書き戻すリストア処理を実施するに際して、前記ボリュームグループ重複使用判定部が、前記ボリュームグループに前記他の論理ボリュームがあると判定した場合に、
新たにボリュームグループを作成し、前記他の論理ボリュームに格納されているデータを新規のボリュームグループに移動させ、バックアップ元のボリュームグループに前記アプリケーションのバックアップデータをコピーし、新規ボリュームグループに移動させた前記データをバックアップ元のボリュームグループへ書き戻す手法と、
バックアップ元の論理ボリュームとバックアップ先の論理ボリュームとからなるペアをスプリットし、当該アプリケーションのバックアップデータが格納されている前記バックアップ先の論理ボリュームを前記ホスト計算機にマウントし、前記バックアップ元の論理ボリュームにバックアップデータをコピーする手法とから選択したいずれかの手法を用いてリストア処理を実行することを特徴とする管理計算機。
【請求項７】
ストレージ装置と、仮想化ソフトウェアによって一以上の仮想サーバが構築されており、各前記仮想サーバ上で少なくとも一のアプリケーションが動作し、前記ストレージ装置の記憶領域からそれぞれ一以上の論理ボリュームを含む複数のボリュームグループを作成し、少なくとも一の前記論理ボリュームが前記仮想サーバに割り当てられているホスト計算機と、に相互に通信可能に接続し、
前記仮想サーバが使用している前記論理ボリュームが属するボリュームグループをバックアップ元とするペアを構成する場合に、前記ボリュームグループに、他の仮想サーバが使用している他の論理ボリュームがあるか否かを判定するボリュームグループ重複使用判定部と、
前記仮想サーバが使用している前記論理ボリュームが属するボリュームグループをバックアップ元とするペアを構成する場合に、前記仮想サーバについて設定されたバックアップポリシー情報と同一のバックアップポリシー情報が設定されている他のボリュームグループがあるか否かを判定するバックアップポリシー判定部とを備え、
前記ボリュームグループ重複使用判定部が前記ボリュームグループに前記他の論理ボリュームがないと判定した場合に、当該ボリュームグループをバックアップ元としてペアを構成し、
前記ボリュームグループ重複使用判定部が、前記ボリュームグループに他の仮想サーバが使用している他の論理ボリュームがあると判定し、かつ前記バックアップポリシー判定部が同一のバックアップポリシー情報を有する他の仮想サーバが使用している論理ボリュームが属する他のボリュームグループがあると判定した場合に、
前記仮想サーバのデータを、当該他のボリュームグループに移動させ、当該他のボリュームグループをバックアップ元としてペアを構成する
ことを特徴とする管理計算機。
【請求項８】
請求項７に記載の管理計算機であって、
前記ボリュームグループ重複使用判定部が、前記ボリュームグループに前記他の論理ボリュームがあると判定し、かつ前記バックアップポリシー判定部が、同一のバックアップポリシー情報を有する他の仮想サーバが使用している論理ボリュームが属する他のボリュームグループがないと判定した場合は、
前記ホスト計算機によって新たなボリュームグループを作成させる
ことを特徴とする管理計算機。
【請求項９】
請求項７又は請求項８に記載の管理計算機であって、
前記ボリュームグループ重複使用判定部が前記ボリュームグループに前記他の論理ボリュームがないと判定した場合に、当該仮想サーバが使用している論理ボリュームが属するボリュームグループをバックアップ元としてペアを構成可能である旨を当該仮想サーバの管理者に通知し、
前記ボリュームグループ重複使用判定部が、前記ボリュームグループに前記他の論理ボリュームがあると判定した場合に、当該ボリュームグループをバックアップ元としてペアを構成できない旨を当該仮想サーバの管理者に通知するとともに、当該仮想サーバのデータを他のボリュームグループに移動させる旨を当該管理者に通知することを特徴とする管理計算機。
【請求項１０】
請求項７乃至請求項９のいずれか１つに記載の管理計算機であって、
前記ボリュームグループ重複使用判定部が、前記ボリュームグループに前記他の論理ボリュームがあると判定した場合に、
当該仮想サーバについて設定されたバックアップポリシー情報と同一のバックアップポリシー情報が設定されている他の仮想サーバが使用している論理ボリュームが属する既存のボリュームグループがあるか否かを検索し、
あると判定された場合に、移動先となるボリュームグループが存在する旨を仮想サーバの管理者に通知することを特徴とする管理計算機。
【請求項１１】
請求項７乃至請求項１０のいずれか１つに記載の管理計算機であって、
前記ボリュームグループ重複使用判定部が、前記ボリュームグループに前記他の論理ボリュームがあると判定した場合に、
当該仮想サーバについて設定されたバックアップポリシー情報と同一のバックアップポリシー情報が設定されている他の仮想サーバが使用している論理ボリュームが属する既存のボリュームグループがあるか否かを検索し、
ないと判定された場合に、前記ホスト計算機によって新たなボリュームグループを作成させる旨を前記仮想サーバの管理者に通知する
ことを特徴とする管理計算機。
【請求項１２】
請求項７乃至請求項１１のいずれか１つに記載の管理計算機であって、
バックアップ元のボリュームグループに格納されている仮想サーバのデータを、当該仮想サーバが構築されているホスト計算機によって、ファイル単位で他のボリュームグループへ移動させることを特徴とする管理計算機。
【請求項１３】
請求項７乃至請求項１２のいずれか１つに記載の管理計算機であって、
前記バックアップポリシー情報は、ローカルコピー又はリモートコピーの種別、バックアップ作成世代数、及びバックアップスケジュールから選択した項目を含んでいることを特徴とする管理計算機。
【請求項１４】
請求項７乃至請求項１３のいずれか１つに記載の管理計算機であって、
前記バックアップのペアが構成されている仮想サーバのバックアップデータをバックアップ元であるボリュームグループにある論理ボリュームに書き戻すリストア処理を実施するに際して、前記ボリュームグループ重複使用判定部が、前記ボリュームグループに前記他の論理ボリュームがあると判定した場合に、
新たにボリュームグループを作成し、前記他の論理ボリュームに格納されているデータを新規のボリュームグループに移動させ、バックアップ元のボリュームグループに前記アプリケーションのバックアップデータをコピーし、新規ボリュームグループに移動させた前記データをバックアップ元のボリュームグループへ書き戻す手法と、
バックアップ元の論理ボリュームとバックアップ先の論理ボリュームとからなるペアをスプリットし、当該アプリケーションのバックアップデータが格納されている前記バックアップ先の論理ボリュームを前記ホスト計算機にマウントし、前記バックアップ元の論理ボリュームにバックアップデータをコピーする手法とから選択したいずれかの手法を用いてリストア処理を実行することを特徴とする管理計算機。
【請求項１５】
請求項７乃至請求項１４のいずれか１つに記載の管理計算機であって、
バックアップの対象が、前記仮想サーバ上で動作するアプリケーションのデータであることを特徴とする管理計算機。
【請求項１６】
アプリケーションが動作するホスト計算機と、それぞれ一以上の論理ボリュームを含む複数のボリュームグループと、前記アプリケーションからのファイル入出力要求に応じて前記論理ボリュームに対するデータ書き込み及び読み出しを行うファイル共有システムと、通信インターフェイスとを備え、少なくとも一の前記論理ボリュームが前記アプリケーションに割り当てられているストレージ装置とに相互に通信可能に接続し、
前記アプリケーションが使用している前記論理ボリュームが属するボリュームグループをバックアップ元とするペアを構成する場合に、前記ボリュームグループに、他のアプリケーションが使用している他の論理ボリュームがあるか否かを判定するボリュームグループ重複使用判定部と、
前記アプリケーションが使用している前記論理ボリュームが属するボリュームグループをバックアップ元とするペアを構成する場合に、前記アプリケーションについて設定されたバックアップポリシー情報と同一のバックアップポリシー情報が設定されている他のボリュームグループがあるか否かを判定するバックアップポリシー判定部とを備え、
前記ボリュームグループ重複使用判定部が前記ボリュームグループに前記他の論理ボリュームがないと判定した場合に、当該ボリュームグループをバックアップ元としてペアを構成し、
前記ボリュームグループ重複使用判定部が前記ボリュームグループに前記他のアプリケーションが使用している他の論理ボリュームがあると判定し、かつ前記バックアップポリシー判定部が同一のバックアップポリシー情報を有する他のアプリケーションが使用している論理ボリュームが属する他のボリュームグループがあると判定した場合に、
前記アプリケーションのデータを、当該他のボリュームグループに移動させ、当該他のボリュームグループをバックアップ元としてペアを構成する
ことを特徴とする管理計算機。
【請求項１７】
請求項１６に記載の管理計算機であって、
前記ボリュームグループ重複使用判定部が前記ボリュームグループに前記他の論理ボリュームがないと判定した場合に、当該アプリケーションが使用している論理ボリュームが属するボリュームグループをバックアップ元としてペアを構成可能である旨を当該アプリケーションの管理者に通知し、
前記ボリュームグループ重複使用判定部が、前記ボリュームグループに前記他の論理ボリュームがあると判定した場合に、当該ボリュームグループをバックアップ元としてペアを構成できない旨を当該アプリケーションの管理者に通知するとともに、当該アプリケーションのデータを他のボリュームグループに移動させる旨を当該管理者に通知することを特徴とする管理計算機。
【請求項１８】
請求項１６又は請求項１７に記載の管理計算機であって、
前記管理計算機は、前記ボリュームグループ重複使用判定部が、前記ボリュームグループに前記他の論理ボリュームがあると判定した場合に、
当該アプリケーションについて設定されたバックアップポリシー情報と同一のバックアップポリシー情報が設定されている他のアプリケーションが使用している論理ボリュームが属する既存のボリュームグループがあるか否かを検索し、あると判定された場合に、移動先となるボリュームグループが存在する旨をアプリケーション管理者に通知することを特徴とする管理計算機。
【請求項１９】
請求項１又は請求項１６に記載の管理計算機であって、
前記ボリュームグループ重複使用判定部が前記ボリュームグループに前記他の論理ボリュームがあると判定し、かつ前記バックアップポリシー判定部が同一のバックアップポリシー情報を有する他のアプリケーションが使用している論理ボリュームが属する他のボリュームグループがないと判定した場合は、
前記ホスト計算機によって新たなボリュームグループを作成させる
ことを特徴とする管理計算機。
【請求項２０】
請求項３又は請求項１８に記載の管理計算機であって、
前記ボリュームグループ重複使用判定部が前記ボリュームグループに前記他の論理ボリュームがあると判定した場合に、
当該アプリケーションについて設定されたバックアップポリシー情報と同一のバックアップポリシー情報が設定されている他のアプリケーションが使用している論理ボリュームが属する既存のボリュームグループがあるか否かを検索し、
ないと判定された場合に、前記ホスト計算機によって新たなボリュームグループを作成させる旨を前記アプリケーションの管理者に通知する
ことを特徴とする管理計算機。
【手続補正２】
【補正対象書類名】明細書
【補正対象項目名】０００９
【補正方法】変更
【補正の内容】
【０００９】
前記のそして他の目的を達成するための本発明の一態様は、ストレージ装置と、アプリケーションが動作し、前記ストレージ装置の記憶領域からそれぞれ一以上の論理ボリュームを含む複数のボリュームグループを作成し、少なくとも一の前記論理ボリュームが前記アプリケーションに割り当てられているホスト計算機と、に相互に通信可能に接続し、前記アプリケーションが使用している前記論理ボリュームが属するボリュームグループをバックアップ元とするペアを構成する場合に、前記ボリュームグループに、他のアプリケーションが使用している他の論理ボリュームがあるか否かを判定するボリュームグループ重複使用判定部と、前記アプリケーションが使用している前記論理ボリュームが属するボリュームグループをバックアップ元とするペアを構成する場合に、前記アプリケーションについて設定されたバックアップポリシー情報と同一のバックアップポリシー情報が設定されている他のボリュームグループがあるか否かを判定するバックアップポリシー判定部とを備え、前記ボリュームグループ重複使用判定部が、前記ボリュームグループに前記他の論理ボリュームがないと判定した場合に、当該ボリュームグループをバックアップ元としてペアを構成し、前記ボリュームグループ重複使用判定部が、前記ボリュームグループに前記他のアプリケーションが使用している他の論理ボリュームがあると判定し、かつ前記バックアップポリシー判定部が同一のバックアップポリシー情報を有する他のアプリケーションが使用している論理ボリュームが属する他のボリュームグループがあると判定した場合に、前記アプリケーションのデータを、当該他のボリュームグループに移動させ、当該他のボリュームグループをバックアップ元としてペアを構成することを特徴とする管理計算機である。